(57)【特許請求の範囲】
【請求項１】
盤内に接続位置と断路位置とが設定され且つ前記接続位置と前記断路位置とに移動するボックスと、
前記ボックスにボルトにより固定され且つ制御電源プラグを介して制御電源が供給される遮断器と、
遮断器室用扉と、
接地スイッチと、
インターロック機構とを備え、
前記インターロック機構は、
前記遮断器が前記接続位置にあり且つ前記遮断器の主回路接触子が閉の場合に、前記遮断器の断路操作を不可とし且つ前記遮断器室扉を開不可とし且つ前記接地スイッチを閉不可とする手段と、
前記遮断器が前記接続位置にあり且つ前記遮断器の主回路接触子が開の場合に、前記遮断器の断路操作を可能とし且つ前記遮断器室扉を開不可とし且つ前記接地スイッチを閉不可とする手段と、
前記遮断器が前記接続位置から前記断路位置までの途中に位置する場合に、前記遮断器室扉を開不可とし且つ前記接地スイッチを閉不可とする手段と、
前記遮断器が前記断路位置に位置する場合に、前記遮断器室扉を開可能とすると共に前記接地スイッチを閉可能とし且つ前記制御電源プラグを断路可能とし、前記ボルトを取り外して前記遮断器の搬出を可能とする手段と、
前記搬出された遮断器の主回路接触子が閉の場合に、前記遮断器の盤内搬入を不可とする手段と、
前記搬出された遮断器の主回路接触子が開の場合に、前記遮断器の盤内搬入を可能とする手段と、
前記制御電源プラグが断路されている場合に、前記遮断器室扉を閉不可とする手段と、
前記接地スイッチが閉の場合に、前記遮断器の前記接続位置への移動動作を不可とする手段と、
前記接地スイッチが開であり且つ前記制御電源プラグが接続され且つ前記遮断器室扉が閉の場合に、前記遮断器の接続位置への動作を可能とする手段とを具備すること
を特徴とするスイッチギヤ。
【請求項２】
前記スイッチギヤを操作する操作パネルを前記スイッチギヤ前面に配置し、
前記インターロック機構は、前記操作パネルに収納されたこと
を特徴とする請求項１記載のスイッチギヤ。
【発明の詳細な説明】
【０００１】
【発明の属する技術分野】
本発明は、改良されたインターロック機構を備えたスイッチギヤに関する。
【０００２】
【従来の技術】
この種のスイッチギヤの従来の一例を、図２１を参照して説明する。
【０００３】
図２１において、スイッチギヤの正面上部には、スイッチギヤの保護及び計測制御機器を搭載した制御線室９が配置されている。遮断器２１は、スイッチギヤ１の中段に搭載されている。
【０００４】
この遮断器２１は、母線３と負荷ケーブル４とにおける接続位置に配置され、取っ手１０を保守員が手動操作することにより、前方方向の断路位置に引き出すことが可能となっている。遮断器２１と母線３又は負荷ケーブル４とは、主回路断路部絶縁物５，６内にあって、遮断器の導体７，８に取り付けられた図示しないフィンガーにより着脱自在に接続されている。負荷につながる主回路絶縁物６には、変流器１１が設けられ、スイッチギヤの電流計測及び遮断器を動作させて回路の保護を行っている。一方、主回路絶縁物６の下方には、接地スイッチ１２が配置され、負荷側の残存充電電流を対地に逃がし、負荷を確実に接地する機能を果たしている。
【０００５】
またスイッチギヤの正面前面には、制御線室用扉１３及び遮断器室用扉１４が配置されている。また、主回路シャッター１７が設けられ、該主回路シャッター１７は、遮断器２１が断路位置に在る状態では主回路端子１８，１９を一体でモールドした主回路断路部絶縁物５，６の開口部を覆い、且つ接続位置では当該開口部を開ける、自動開閉シャッター機構として機能する。
【０００６】
また、保守員等の人身に対する安全性を確保するため、一般に、引出し形装置である遮断器２１自体に、及び、遮断器２１と接地スイッチ１２との間には、機械的なインターロック機構が設けられている。
【０００７】
以下、上述したインターロック機構を列挙して説明する。
【０００８】
（１）  このインターロック機構には、遮断器２１が接続位置にある時は遮断器２１の制御回路に電源を供給するプラグ１５が抜けないようにするための手段が備わっている。この手段は、遮断器の電源回路の喪失を防ぐためのものである。
【０００９】
（２）  このインターロック機構には、遮断器２１が接続位置にあり遮断器のバルブ１６の接点が閉の時は遮断器２１が引き出せないようにするための手段が備わっている。この手段は、通電状態で遮断器を移動させることにより、アークを発生させることを防ぐためのものである。
【００１０】
（３）  このインターロック機構には、遮断器２１が接続位置にあるときは接地スイッチ１２が閉にできないようにするための手段が備わっている。この手段は、遮断器が断路位置で接地スイッチを閉にし、通電部を接地させた際に発生する地絡事故を防ぐためのものである。
【００１１】
（４）  このインターロック機構には、遮断器２１が断路位置でプラグ１５が抜けるようにし、また、遮断器２１のプラグ１５を挿入しないと遮断器２１を接続位置へ移動できないようにする手段が備わっている。この手段は、断路位置でしか遮断器２１の電源回路を喪失させないためのものである。
【００１２】
【発明が解決しようとする課題】
しかしながら、上述したスイッチギヤの場合に、遮断器２１のバルブ１６を開にして遮断器室用扉１４を開け、遮断器２１を引き出す場合に、主回路シャッター１７は開で且つ母線３は常時充電状態にあるため、主回路端子１８や遮断器２１の導体１９に保守員が誤って触れて感電する虞れがある。
【００１３】
基本的に、電気機器の扉は、内部が無充電となって始めて開となることが望ましいものであり、安全性の点で問題である。
【００１４】
本発明の目的は、遮断器室の内部が無充電のときにのみ遮断器室用扉が開くようにして保守員に対する安全性を非常に高めたスイッチギヤを提供することにある。
【００１５】
【課題を解決するための手段】
上記課題を解決するため、第１の観点による本発明は、盤内に接続位置と断路位置とが設定され且つ前記接続位置と前記断路位置とに移動するボックスと、前記ボックスにボルトにより固定され且つ制御電源プラグを介して制御電源が供給される遮断器と、遮断器室用扉と、接地スイッチと、インターロック機構とを備え、前記インターロック機構は、前記遮断器が前記接続位置にあり且つ前記遮断器の主回路接触子が閉の場合に、前記遮断器の断路操作を不可とし且つ前記遮断器室扉を開不可とし且つ前記接地スイッチを閉不可とする手段と、前記遮断器が前記接続位置にあり且つ前記遮断器の主回路接触子が開の場合に、前記遮断器の断路操作を可能とし且つ前記遮断器室扉を開不可とし且つ前記接地スイッチを閉不可とする手段と、前記遮断器が前記接続位置から前記断路位置までの途中に位置する場合に、前記遮断器室扉を開不可とし且つ前記接地スイッチを閉不可とする手段と、前記遮断器が前記断路位置に位置する場合に、前記遮断器室扉を開可能とすると共に前記接地スイッチを閉可能とし且つ前記制御電源プラグを断路可能とし、前記ボルトを取り外して前記遮断器の搬出を可能とする手段と、前記搬出された遮断器の主回路接触子が閉の場合に、前記遮断器の盤内搬入を不可とする手段と、前記搬出された遮断器の主回路接触子が開の場合に、前記遮断器の盤内搬入を可能とする手段と、前記制御電源プラグが断路されている場合に、前記遮断器室扉を閉不可とする手段と、前記接地スイッチが閉の場合に、前記遮断器の前記接続位置への移動動作を不可とする手段と、前記接地スイッチが開であり且つ前記制御電源プラグが接続され且つ前記遮断器室扉が閉の場合に、前記遮断器の接続位置への動作を可能とする手段とを具備するスイッチギヤである。
また、第２の観点による本発明は、主回路機器と遮断器室用扉とのインターロック機構を設け、主回路が無充電の時に限り、遮断器室用扉が開けられる構造とする。すなわち、遮断器が断路位置に限り、遮断器室用扉が開けられるインターロック機構を付加する。これにより、導体は無充電の状態となる。この場合、母線を停電させることは系統全体の停電となり、実質不可能なので唯一充電部となる母線側主回路端子を金属シャッターで覆い、等価的に無充電な状態を実現するものである。
【００１６】
【発明の実施の形態】
以下、本発明に係るスイッチギヤの一実施形態を、図面を参照して説明する。
【００１７】
図１は本実施形態のスイッチギヤ２０の側面断面図であり、図２１と同一部分には同一符号を付し、その説明は省略する。
【００１８】
図１において、本実施形態のスイッチギヤは、遮断器２１と、その引出装置２２と、接地スイッチ１２と、遮断器室用扉２３とで構成されている。この遮断器室用扉２３は、図２１に示した従来のスイッチギヤと同様に、保守員が主回路に接近することができる開閉可能な唯一のものである。
【００１９】
図２は図１の矢視Ａ−Ａより見た引出装置２２の詳細図であり、同図は遮断器２１が接続状態での各機構の状態を示している。引出装置２２の中心には遮断器２１を移動させる雄ねじが切られた遮断器移動シャフト２４が通っている。この遮断器移動シャフト２４は、雌ねじ２５と嵌合し該雌ねじ２５はボックス２６に収納されている。ボックス２６は、遮断器２１と連結板４０とを介してボルト４１により遮断器２１と機械的に連結されている。従って、シャフト２４を回転させるとボックス２６は前面方向に進行することになる。よって、前面方向に進行したボックス２６により遮断器２１を断路させることができる。また引出装置２２には、接地スイッチ１２を駆動させる接地スイッチ用操作機構２７が設けられている。
【００２０】
図３は図２の矢視Ｂ−Ｂより見た接地スイッチ１２を操作するための操作機構２７の詳細断面図であり、同図に示すように、接地スイッチ１２と操作機構２７とは、リンク２８により連結されている。操作機構２７は、遮断器移動シャフト２４と同様に雄ねじが切られた接地スイッチ駆動シャフト２９を有し、リンク２８の連結部と一体となった雌ねじ３０により構成されている。図３は接地スイッチ１２は切り状態を示しており、シャフト２９を回転させることにより、雌ねじ３０は正面より向かって奥行き方向に移動し、これにより接地スイッチ１２の入りが行われる。
【００２１】
引出装置２２の前面には、遮断器２１と、接地スイッチ１２と、遮断器室用扉２３との間でインターロック機能が動作するための機構部品を収納した操作パネル５０が配置されている。この操作パネル５０は、スイッチギヤ２０に固定されている。また引出装置２２は、遮断器位置検出ロッド８０をそれぞれ左右に一本ずつ引出装置２２の前面パネル８１に貫通させて配置している。
【００２２】
図４は図２の矢視Ｃ−Ｃより見た図であり、遮断器位置検出ロッド８０は、ばね８５により常に奥行き方向に力が加えられている。遮断器位置検出ロッド８０の一方の端部には、同形の遮断器位置検出ロッド８０を駆動させる遮断器位置検出ロッド駆動板８２がそれぞれにボルトで固定されている。また遮断器位置検出ロッド８０の他方の端部には、遮断器室扉用開閉制御板８３が固定されている。
【００２３】
図５は図２の矢視Ｄ−Ｄより見た図であり、接地スイッチ用制御板８４がボルトで固定されている。
【００２４】
次に、上記のように構成された本実施形態に係るスイッチギヤを、遮断器２１が接続状態にある場合におけるインターロック機構の動作について説明する。
【００２５】
図６は遮断器２１が接続位置であり且つ遮断器２１のバルブ１６が閉の場合において、スイッチギヤ正面より見た操作パネル５０の内部構造を示す。遮断器２１は、バルブ１６の開閉に応じて上下するバルブ状態検出ロッド５１を備えている。操作パネル５０には、２つのシャフト２４を回転させる２つの穴５２を配し、これらの内側に穴５２と同一径の２つの穴７２を有するインターロック機構板５３と、接地スイッチインターロック機構板５４とが左右にスライド可能に構成されている。
【００２６】
また、インターロック機構板５３，５４には、これらをスライドさせるための取っ手５５が取り付けられている。すなわち、取っ手５５を左方向に力を加え、穴５２と穴７２とが合えば、図示しない操作ハンドルを挿入することができることになる。インターロック機構板５３は、接合板５６，５７により前後に貫通するシャフト５８（図２参照）にピン５９で回転自在に連結されている。シャフト５８にはバルブ状態検出ロッド検出板６０，６１が固定されている（図２参照）。
【００２７】
図６の場合に、遮断器２１のバルブ１６が閉のため、バルブ検出ロッド５１が開の状態と比較して相対的に下方に移動しており、インターロック機構板５３を取っ手５５に力を加え、左にスライドさせようと試見たとしても、ロッド検出板６０がバルブ開閉検出ロッド５１と干渉する。
【００２８】
このため、インターロック機構板５３は左方向にスライドできない。よって、遮断器操作ハンドルを挿入できないことになる。同様に図５に示すように接地スイッチインターロック機構板５４を取っ手５５に力を加え左方向にスライドさせようとしても接地スイッチインターロック機構板５４と同制御板８４が干渉して結局、接地スイッチインターロック機構板５４は左方向にスライドできない。よって、接地スイッチ操作ハンドルを挿入できない。
【００２９】
次に扉２３に関するインターロック機構を説明する。図７は遮断器室扉２３の正面図、図８は矢視Ｅ−Ｅより見た扉２３の断面図であり、図９は矢視Ｆ−Ｆより見た図である。
【００３０】
図７〜図９において、扉２３には左側にヒンジ９９が設けられ、また右側には扉ピン９０を複数個有する枠９１が設けられている。この扉２３を下方にスライドさせると共に、扉ピン９０をピン引っかけ板９２の溝底部９３に落とし込む。これにより、扉２３は、閉状態を実現することになる。
【００３１】
引っかけ板９２は、スイッチギヤ２０の右側面パネル９７に固定されている。枠９１には扉取っ手９４が取り付けられており、当該取っ手９４により枠９１を動作せしめる。また、枠９１は枠支え板９５と扉の奥行き方向の折り曲げ部９６の間に装着され当該９５，９６には扉ピン９０と同数の楕円穴加工９６を施している。扉開は枠９１を上にスライドさせ扉ピン９０をピン引っかけ板９２のみぞ底部９３より開放させ、取っ手９４を前方に引っ張ることにより実現する。
【００３２】
また、枠９１底面には、間が細くくびれた扉開閉制御ピン９８，９９が扉２３を貫通させて固定されている。図２における一部詳細図である図１０において遮断器位置検出ロッド８０の先端に取り付けられた遮断器室用扉開閉制御板８３には、溝穴１００が加工されている。
【００３３】
これにより、遮断器２１が接続位置では、溝穴１００の溝に扉開閉制御ピン９８のくびれ部が嵌ることになり、扉取っ手９４を上方に力を加えて扉２３を開しようとしても開にすることができない。
【００３４】
また、扉２３が開できないので、図１における遮断器２１の制御プラグ１５は、スイッチギヤ２０の右側面パネル９７に取り付けられた制御プラグ受け１０２から着脱できないものとなる。
【００３５】
以上のように、本実施形態において、遮断器２１が接続位置の場合にあって次に列挙するインターロック機能が実現される。
【００３６】
（１）  遮断器２１が接続位置にある時は、遮断器２１の制御回路に電源を供給するプラグ１５が抜くことができない。
【００３７】
（２）  遮断器２１が接続位置にあり遮断器２１のバルブ１６が閉の時は、遮断器２１の引き出しは不可能となる。
【００３８】
（３）  遮断器２１が断路位置以外は接地スイッチ１２が投入できなく、また扉２３を開けることが不可能となる。
【００３９】
次に、遮断器２１が接続位置であり、且つ遮断器のバルブ１６が開の場合の動作について、図６等及び遮断器操作パネル５０を示す図１１を参照して説明する。すなわち、遮断器２１のバルブ１６を開にすると、バルブ検出ロッド５１が上方に移動するが、ロッド検出板６０とは干渉することなく、インターロック機構板５３は左にスライドする。これにより、穴５２と穴７１とが同一位置に来るので、図示しない遮断器操作ハンドルが挿入でき、遮断器２１を前方に移動させることができる。
【００４０】
次に遮断器２１が接続位置と断路位置との途中に在る場合のインターロック機構の動作について説明する。すなわち、遮断器２１を操作ハンドルにて遮断器移動シャフト２４を回転させ断路位置に引き出す途中では、次のように動作する。
【００４１】
（１）  遮断器２１が接続位置にある時は遮断器２１の制御回路に電源を供給するプラグ１５が抜けない。
【００４２】
（２）  遮断器２１が断路位置以外は接地スイッチ１２が投入できなく、また遮断器室扉２３を開けることができない。
【００４３】
これらのインターロック機構は、図１２の遮断器２１が断路途中の場合によりボックス２６が前方に移動しているだけであり、明らかに保持されている。
【００４４】
次に遮断器が断路位置に在る場合のインターロック機能の動作を図１２、図１３及び図２０を参照して説明する。尚、図２０は、図１３における矢視Ｉ−Ｉより見た断面図である。図において、遮断器移動シャフト２４を図示しない操作ハンドルにより回転させることにより、ボックス２６は遮断器２１が断路位置となる場所まで移動する。ボックス２６には、遮断器位置検出ロッド動作ピン１１０が一体で動作するよう貫通固定されており、遮断器位置検出ロッド駆動板８２をばね８５の力に打ち勝って前方に移動させようとする。すなわち、扉開閉制御ピン９８が遮断器位置検出ロッド８０の先端に取り付けられた遮断器室扉用開閉制御板８３の溝穴１００の穴位置に収まる。
【００４５】
これにより、扉取っ手９４を上方に移動させることができて、扉ピン９０がピン引っかけ板９２のみぞ底部９３よりはずれ遮断器室扉２３が開くことになる。
【００４６】
同様に、図１４が示すように遮断器位置検出ロッド駆動板８２がばね８１の力に打ち勝って前方に移動すると、遮断器位置検出ロッド８０の先端に取り付けられた接地スイッチインターロック機構板５４の制御板８４に接地スイッチインターロック機構板５４が干渉することなく、図１５に示すように接地スイッチ用シャフト２４の穴５２と穴７２とが一致し、操作ハンドルを挿入することができるようになる。
【００４７】
以上により、遮断器２１が断路位置にある場合に、扉２３を開くことを可能とするインターロック機構と、接地スイッチ１２を投入することを可能とするインターロック機構とが実現されたことになる。この場合、扉２３を開くと、これに伴って遮断器２１を接続位置まで移動できないようにするインターロック機構が必要となる。該機能を図１３及び図２０等を参照して説明する。
【００４８】
扉２３が閉のとき、図１３及び図２０に示す扉開閉制御ピン９８は、Ｌ形に曲がったシーソ板１２０の回転軸１２１の右側を押しており、これによりシーソー板１１０を右に回転させている。このため、シーソー板１１０のＬ部がインターロック機構板５３の動作を静止することはない。
【００４９】
ところが扉２３を開けるため取っ手９４を上方に持ち上げると、枠９１がそれに伴って扉開閉制御ピン９８が上方に上がる。結果としてシーソー板１１０に押し付け力がなくなり、重力の影響でシーソー板１１０は水平を保つため当該Ｌ部とインターロック機構板５３のＬ部が引っかかる。これにより、インターロック機構板５３は左にスライドできず、上述のように操作ハンドルは挿入することができず、扉２３が開いたままで閉まること無く、遮断器２１は接続位置方向に移動できないようになる。
【００５０】
次に接地スイッチ１２が閉の場合に遮断器２１が接続位置に移動できないようにするインターロック機構を、接地スイッチ１２が閉の場合を示す図１６を参照して説明する。図において、接地スイッチ１２が閉の場合、雌ねじ３０に一体となった接地スイッチシャフト連結部１５２は接地スイッチ開閉制御棒１５０の動作を開放し自由状態にしている。つまり、接地スイッチ開閉制御棒１５０はばね１５１に押されスイッチギヤの奥行き方向に移動している。
【００５１】
遮断器移動制御棒１５０は一部に溝部を設けてあり、インターロック機構板５３の端部を図１５の帯板２００の角穴２０１にはめ込んであり、インターロック機構板５３と帯板２００は一体で動作する。このため、帯板２００の端部は、遮断器移動制御棒１５０の端部と干渉し、インターロック機構板５３は左方向にスライドできない。
【００５２】
接地スイッチ１２が開の場合は、接地スイッチシャフト連結部１５２が遮断器移動制御棒１５０を下方（手前）に押し、帯板２００が遮断器移動制御棒１５０の溝部を通過し、インターロック機構板５３が左方向に移動し、操作ハンドルを差し込むことにより、遮断器２１を移動することができる。遮断器の制御プラグ１５は、扉２３を開いたのであるから、保守員は、その手で制御プラグ受け１０２と着脱可能となる。この場合、冒頭のインターロック機構の条件（４）を満たすためには、制御プラグ１５が制御プラグ受け１０２と電気的に接続されないと遮断器２１が主回路に接続されないようにするインターロック機構が必要となる。これを図１７と図１７の矢視７−７の断面である図１８及びＣ部詳細である図１９により説明する。
【００５３】
図１７は制御プラグ受け１０２の全体図であり、受け側コネクタ１３０が取り付けられている。このコネクタ１３０に外部から制御電源が供給できるよう配線されている（図示しない）。図１８において遮断器２１側からは当該遮断器２１の制御回路から配線された差し込みコネクタ１３１がつながっている。差し込みコネクタ１３１を含めた側を制御プラグ１５と呼んでいる。この差し込みコネクタ１３１は金属製の平板１３２に固定されており、平板１３２からは途中にみぞを切った円柱ピン１３３が固定されている。また、先端にねじを切った取っ手ピン１３４と扉開閉制御ピン１３５はナット１３６により連結されている。図１８は制御プラグ１５を切り離した状態を示している。この状態では扉開閉制御ピン１３５が扉２３と干渉し、扉２３が閉まらない。扉２３が閉まらないと上述のように遮断器２１を接続方向に移動できないようにしたインターロック機構が実現される。
【００５４】
次に制御プラグ１５を差し込む場合を図１８で説明する。図において、制御プラグ１５の円柱ピン１３３を、円柱ピンより内径が若干大きいカラー２００に差し込もうとすると、円弧板１３６に加工しただるま穴１３７に干渉し、制御プラグは差し込めない。よって、ばね１３８の右方向に働く力に打ち勝って取っ手ピン１３４を左にスライドさせる。これに伴って円弧板１３６が右方向に回転し、だるま穴１３７の大きい穴の中心とカラー２００の中心とが一致するところまで移動する。この動作により、制御プラグ１５の円柱ピンがカラー２００の内径部に差し込めるようになり、受側コネクタ１３０と差し込みコネクタ１３１がかみ合って電気的につながった状態となる。
【００５５】
この差し込み動作の際、巻ばね１３９により円柱ピン１３３が紙面に向かうことで、回転制御板１４０は軸１４１を中心に手前に回転し、円柱ピン１３３のみぞ部に円弧板１３６のだるま穴１３７の小さい部分にはまり合い、ばね１３８の右方向の力により扉開閉制御ピンが右に移動し、円弧板１３６は今度は左方向に回転する。この場合、円弧板１３６と円柱ピン１３３のみぞ部がはまり合っているため、制御プラグ１５はこのままでは切り離せない。制御プラグ１５を抜くときは、取っ手ピン１３４を紙面に向かって左にスライドさせると、だるま穴１３７の大きい部分に円柱ピン１３３が嵌合し、制御プラグ１５を切り離せる。
【００５６】
切り離した状態では図１９の状態に復帰し、ボルト１４２が回転制御板１４０に接触するので、取っ手ピン１３４は左方向にしかスライドできない機能を果たしている。
【００５７】
次に遮断器２１をスイッチギヤ外部に引き出す方法を、図２０を用いて説明する。すなわち、遮断器２１が断路位置に在る状態で、連結板４０のボルト４１を外し、遮断器２１を出し入れ機構から離脱させる。その後、図１２の軸ピン２２０を中心に連結板４０を下方に回転させると、遮断器２１をリフター（図示しない）により、遮断器２１はスイッチギヤ外部に引き出せる。
【００５８】
引き出した状態で遮断器２１のバルブ１６を閉にした場合、バルブ状態検出ロッド５１は図２０の引き出し機構の手前に取り付けられたブロック２２１と干渉し、これにより遮断器２１は、スイッチギヤ内へ挿入できない。すなわち、バルブが閉の状態では接続位置へは移動できないことになる。
【００５９】
遮断器２１が断路位置から接続位置までの間に在る場合と、接続位置にある場合とにおけるインターロック機構は既述の通りである。
【００６０】
以上のように本実施形態のスイッチギヤでは、先ず、遮断器２１を扉２３が閉の状態で移動させることができる。この前提の下で、次に述べるようなインターロック機能が発揮される。
【００６１】
第１に、遮断器２１が接続位置でバルブ１６が閉の場合には、扉２３は開かず、接地スイッチ１２は閉にできず、遮断器２１は断路位置に移動することができない。
【００６２】
第２に、遮断器２１が接続位置でバルブ１６が開の場合には、扉２３は開かず、接地スイッチ１２は閉にできず、遮断器２１は断路位置方向に移動することができる。
【００６３】
第３に、遮断器２１が接続断路の途中の場合には、扉２３は開かず、接地スイッチ１２は閉にできず、遮断器２１は断路接続方向に移動することができる。
【００６４】
第４に、遮断器２１が断路位置の場合には、扉２３が開き、接地スイッチ１２は閉にすることができ、接地スイッチ１２が閉であると遮断器２１は接続位置方向に移動できず、制御プラグ１５を着脱することができる。この場合、制御プラグ１５を外した状態では扉２３は閉まらない。また扉２３が閉まらないと遮断器２１を接続位置に移動できない。
【００６５】
第５に、遮断器がスイッチギヤ外部にある場合には、遮断器２１のバルブ１６とが閉の場合に、スイッチギヤの内部に搬入できない。
【００６６】
【発明の効果】
以上のように本発明によれば、遮断器室内部が無充電のときにのみ扉が開くように構成したことにより、これに伴う遮断器の外部移動機構や遮断器と接地スイッチはもちろん制御プラグと遮断器のインターロック機構も完備した、保守員に対する安全性が非常に高められたスイッチギヤを提供することができる。
【図面の簡単な説明】
【図１】本発明に係るスイッチギヤの一実施形態の側面断面図。
【図２】図１の矢視Ａ−Ａより見た遮断器が接続位置にある場合におる遮断器の引出装置の平面図。
【図３】図２の矢視Ｂ−Ｂより見た接地スイッチ操作機構の側面断面図。
【図４】遮断器が接続位置にある場合の図２の矢視Ｃ−Ｃより見た一方の遮断器位置検出ロッド周りの側面図。
【図５】遮断器が接続位置にある場合の図２の矢視Ｄ−Ｄより見た他方の遮断器位置検出ロッド周りの側面図。
【図６】遮断器が接続位置にある場合の正面より見た操作パネルとその内部構造図。
【図７】正面より見た遮断器室用扉とその内部構造図。
【図８】図７の矢視Ｅ−Ｅより見た遮断器室用扉の側面図。
【図９】図７の矢視Ｆ−Ｆより見た遮断器室用扉の平面図。
【図１０】遮断器室用扉と遮断器が接続位置にある場合のインターロック機構を説明する構造図。
【図１１】バルブが開状態にある場合の正面より見た操作パネルとその内部構造図。
【図１２】図１の矢視Ａ−Ａより見た遮断器が断路位置にある場合の遮断器の引出装置の平面図。
【図１３】遮断器室用扉と遮断器が断路位置にある場合のインターロック機構を説明する構造図。
【図１４】遮断器が接続位置にある場合の図２の矢視Ｃ−Ｃより見た他方の遮断器位置検出ロッド周りの側面図。
【図１５】遮断器が接続位置にある場合の正面より見た操作パネルとその内部構造図。
【図１６】接地スイッチが閉である場合の接地スイッチ操作機構の側面図。
【図１７】図１の制御プラグ受けの詳細断面図。
【図１８】図１７の矢視Ｇ−Ｇより見た断面図。
【図１９】図１７のＨ部の詳細図。
【図２０】図１３の矢視Ｉ−Ｉより見た断面図。
【図２１】従来のスイッチギヤの側面断面図。
【符号の説明】
１５…制御プラグ、２０…スイッチギヤ、２１…遮断器、２２…引出装置、２３…遮断器室用扉、２４…遮断器移動シャフト、２５…雌ネジ、２６…ボックス、２７…接地スイッチ操作機構、２８…リンク、２９…接地装置駆動シャフト、３０…雌ネジ、４０…連結板、４１…ボルト、５０…操作パネル、５１…バルブ開閉検出ロッド、５２…操作パネル側穴、５３…遮断器インターロック板、５４…接地スイッチインターロック板、５５…取っ手、５６，５７…連結板、５８…シャフト、５９…ピン、６０，６１…バルブ開閉検出ロッド検出板、７２…インターロック板側穴、８０…遮断器位置検出ロッド、８１…引出装置、８２…遮断器位置検出ロッド駆動板、８３…遮断器室扉開閉制御板、８４…接地スイッチインターロック板用制御板、８５…ばね、９０…扉ピン、９１…枠、９２…引掛け板、９３…溝底部、９４…扉取っ手、９６…楕円穴加工部、９７…右側面パネル、９８…扉開閉制御ピン、９９…扉折り曲げ部、１００…溝穴、１０２…制御プラグ受け、１１０…遮断器位置検出ロッド動作ピン、１２１…回転軸、１２５…シーソ板、１３０…コネクタ、１３１…差込コネクタ、１３２…平板、１３３…円柱ピン、１３４…取っ手ピン、１３５…扉開閉制御ピン、１３６…円弧板、１３７…だるま穴、１３８…ばね、１３９…まきばね、１４０…回転制御板、１４１…軸、１４２…ボルト、１５０…接地スイッチ開閉制御棒、１５１…ばね、１５２…接地スイッチシャフト連結部、２００…帯板、２２０…軸ピン、２２１…ブロック、３００…カラー。
【図１】
0004387577.tif 000002
【図２】
0004387577.tif 000003
【図３】
0004387577.tif 000004
【図４】
0004387577.tif 000005
【図５】
0004387577.tif 000006
【図６】
0004387577.tif 000007
【図７】
0004387577.tif 000008
【図８】
0004387577.tif 000009
【図９】
0004387577.tif 000010
【図１０】
0004387577.tif 000011
【図１１】
0004387577.tif 000012
【図１２】
0004387577.tif 000013
【図１３】
0004387577.tif 000014
【図１４】
0004387577.tif 000015
【図１５】
0004387577.tif 000016
【図１６】
0004387577.tif 000017
【図１７】
0004387577.tif 000018
【図１８】
0004387577.tif 000019
【図１９】
0004387577.tif 000020
【図２０】
0004387577.tif 000021
【図２１】
0004387577.tif 000022